(57)【要約】【課題】  ファンなどの強制的排気手段を用いず、小スペース及び低コストで効果的にインクミストを回収することを課題とする。【解決手段】  インクジェット記録ヘッド１２の移動で、インクジェット記録ヘッド１２が走査する走査空間には空気流が発生し、筐体２６の両端に形成されたシャッター３２が、空気流によって吸気口３２を開閉する。このため、ノズルからインク液滴が吐出された際に発生するインクミストが、筐体２６で閉塞された空間をインクジェット記録ヘッド１２が移動する際、インクジェット記録ヘッド１２の移動によって発生する空気流に運ばれて、排気口３６からインクジェットプリンタ１０の外部へ排気される。従って、インクミストがインクジェット記録ヘッド１２の移動によって走査空間を浮遊することがないので、インクジェットプリンタ１０の内部及び記録用紙２０を汚してしまうことがない。【選択図】    図５
2005145021.tif 000002
【特許請求の範囲】
【請求項１】
記録媒体の搬送方向と直交する方向へ走査する記録ヘッドのノズルからインク液滴を吐出して記録媒体に画像を記録するインクジェット記録装置において、
前記記録ヘッドが走査する略閉塞した走査空間を構成する閉塞部材と、
前記閉塞部材の走査方向の両端に形成された吸気口と、
前記吸気口に設けられ、前記記録ヘッドの移動で発生する空気流で前記吸気口を開閉するシャッターと、
前記走査空間と連通し、前記記録ヘッドの移動で押し出された空気を排気する排気口と、
を備えたことを特徴とするインクジェット記録装置。
【請求項２】
前記排気口には、フィルターが設けられたことを特徴とする請求項１に記載のインクジェット記録装置。
【請求項３】
前記シャッターは、空気圧で揺動して吸気口を遮蔽、開放する遮蔽板で構成されたことを特徴とする請求項１又は請求項２に記載のインクジェット記録装置。
【請求項４】
前記排気口と前記走査空間の連通部には、前記排気口へ開放し走査空間側には開放しない弁機構が配置されたことを特徴とする請求項１〜請求項３のいずれかに記載のインクジェット記録装置。
【請求項５】
走査方向から見たときの前記記録ヘッドと前記閉塞部材の最大離間距離が、前記排気口の最小幅よりも小さいことを特徴とする請求項１〜請求項４のいずれかに記載のインクジェット記録装置。
【請求項６】
走査方向から見たときの前記記録ヘッドと前記閉塞部材の空間面積が、前記排気口の面積よりも小さいことを特徴とする請求項１〜請求項５のいずれかに記載のインクジェット記録装置。
【請求項７】
記録媒体の搬送方向と直交する方向へ走査する記録ヘッドのノズルからインク液滴を吐出して記録媒体に画像を記録するインクジェット記録装置において、
前記記録ヘッドが走査する略閉塞した走査空間を構成する閉塞部材と、
前記閉塞部材の走査方向の両端に形成された吸排気口と、
前記吸排気口に所定間隔で配置されたフィルターと、
前記記録ヘッドの位置を検出する検出手段と、
前記吸排気口に設けられ、前記検出手段からの信号によって、前記フィルターと前記フィルターとで形成された隙間を開閉するシャッターと、
を備えたことを特徴とするインクジェット記録装置。
【発明の詳細な説明】
【技術分野】
【０００１】
本発明は、記録ヘッドから記録媒体へインクを吐出して記録を行うインクジェット記録装置に関する。
【背景技術】
【０００２】
近年、オフィスにおけるカラー文書の普及はめざましく、そのための様々な出力機器が提案されている。特に、小型化が可能で低価格なインクジェット記録装置が様々な出力機器に使用されている。
【０００３】
ノズルからインク液滴を吐出し、記録紙に記録するインクジェット記録ヘッドを備えるインクジェット記録装置では、記録ヘッドのノズルからインク液滴を吐出して、記録媒体に画像を記録する際、このインク液滴の一部が微小液滴となり、記録装置内を浮遊してインクミストとなる。このインクミストが、記録紙に着弾するインク液滴とは異なる経路を不規則に移動して、インクジェット記録装置内を飛散し、記録紙やインクジェット記録装置内を汚染してしまうという問題があった。
【０００４】
また、プラテンや記録紙搬送ローラー等にインクミストが付着して蓄積すると、記録紙の搬送がスムーズに行われなくなり、ジャム、斜行、しわ及び波打ち等の搬送不良を引き起こす原因となる。さらに、インクミストがキャリッジが摺動する軸や軸受等の稼動部近辺に付着蓄積すると、可動部分の摩擦が大きくなり、可動部分の動作に影響を与えてしまう。
【０００５】
このような問題を解決するために、エアーダクトシステムに結合されたファンによって、印刷領域から余分なインク噴霧やインクを含む蒸気を真空排気することで、インクミストを回収する方法（特許文献１参照）、キャリッジの周囲の空気を吸気ファンで吸引する方法（特許文献２参照）、送風ファンで被記録材の搬送方向の上流側から下流へ向かう空気流を発生させ、インクミストを効率よく被記録材の排出方向に向かわせてインクミストの拡散を防止する方法（特許文献３参照）、電子部品の放熱を行う放熱器を取り囲むように配置されたファン付きの排気管によって、インクミストを放熱器に付着させて除去する方法（特許文献４参照）がある。
【０００６】
ところが、インクジェット記録装置内の空気を強制的にファンで排気する従来の方法は、インクジェット記録装置内を浮遊するインクミストを除去する上で有効な手段ではあるが、ファンの設置場所を確保する必要があるので、インクジェット記録装置が大型化してしまう。また、ファンの重量分だけインクジェット記録装置全体の重量が増大する。さらに、ファンを駆動させることで電力消費アップに繋がり、また、ファンの駆動時にノイズが発生し、さらには、部品点数が増加するためコストアップに繋がる。
【特許文献１】特開平７−１７０３７号公報（第５頁、第１６図）
【特許文献２】特開平７−２５００７号公報（第３頁、第６図）
【特許文献３】特開平１１−１３８７７７号公報（第３頁、第３図）
【特許文献４】特開２０００−２１１１６３号公報（第３頁、第１図）
【発明の開示】
【発明が解決しようとする課題】
【０００７】
本発明は上記事実を考慮し、ファンなどの強制的排気手段を用いず、小スペース及び低コストで効果的にインクミストを回収することを目的とする。
【課題を解決するための手段】
【０００８】
請求項１に記載の発明は、記録媒体の搬送方向と直交する方向へ走査する記録ヘッドのノズルからインク液滴を吐出して記録媒体に画像を記録するインクジェット記録装置において、前記記録ヘッドが走査する略閉塞した走査空間を構成する閉塞部材と、前記閉塞部材の走査方向の両端に形成された吸気口と、前記吸気口に設けられ、前記記録ヘッドの移動で発生する空気流で前記吸気口を開閉するシャッターと、前記走査空間と連通し、前記記録ヘッドの移動で押し出された空気を排気する排気口と、を備えたことを特徴としている。
【０００９】
請求項１に記載の発明によれば、記録ヘッドの移動で、記録ヘッドが走査する走査空間には空気流が発生し、閉塞部材の両端に形成された吸気口のシャッターが、空気流によって吸気口を開閉する。例えば、記録ヘッドの移動によって発生した空気流で、記録ヘッドの走査方向下流側は負圧となって、反走査側のシャッターは開放する。一方、記録ヘッドの走査方向上流側は走査方向と同じ方向に向かって空気が流れるので、走査側の遮蔽板は空気流によって押圧され、吸気口はシャッターによって閉鎖される。そして、記録ヘッドの移動で押し出された走査空間の空気は、走査空間に連通した排気口から排気される。
【００１０】
このため、ノズルからインク液滴が吐出された際に発生するインクミストが、閉塞部材で閉塞された空間を記録ヘッドが移動する際、記録ヘッドの移動によって発生する空気流に運ばれて、排気口からインクジェット記録装置の外部へ排気される。従って、インクミストが記録ヘッドの移動によって走査空間を浮遊することがないので、インクジェット記録装置の内部及び記録用紙を汚してしまうことがない。
【００１１】
このように、記録ヘッドの移動によって発生する空気流を利用してインクミストを走査空間から排除する構成としたことで、インクミストを回収するために、ファンなどの電力を必要とする装置を走査空間に取り付ける必要がない。これにより、消費電力の軽減に繋がり、ファンなどを取り付けることによって発生するスペースの確保の必要がないことで、インクジェット記録装置が大型にならずに済む。従って、インクジェット記録装置の軽量化が計れ、また、ファンなどの装置を取り付ける場合と比較して、部品増加によるコストアップの問題がなく、ファンを駆動させる際に発生するノイズ増大の心配もないので、インクジェット記録装置を駆動させる際のノイズの軽減に繋がる。
【００１２】
また、吸気口から走査空間に外部の空気を吸気すると同時に、走査空間の空気を排出口から排気することで、インクジェット記録装置の内部の熱を排気することができる。
【００１３】
請求項２に記載の発明は、前記排気口には、フィルターが設けられたことを特徴としている。
【００１４】
請求項２に記載の発明によれば、排気口にフィルターを設けることで、走査空間のインクミストを含んだ空気が排気口から排気される際に、空気中のインクミストがフィルターによって吸収される。これにより、インクジェット記録装置の外部へ排気される空気にはほとんどインクミストが含まれておらず、インクジェット記録装置の外部にはインクミストが排出されないので、インクジェット記録装置の外壁部や装置周辺がインクミストで汚されることがない。
【００１５】
また、記録ヘッドの移動によって吸気口のシャッターが開放したとき、フィルターが取り付けられていない吸気口からは、効率良くインクジェット記録装置の外部の空気を吸気することができる。これにより、記録ヘッドの移動の際に、記録ヘッドの走査方向の後方部の気流が乱れるのを防止でき、インクジェット記録装置の外部の空気を効率良くインクジェット記録装置内部に吸引できるので、インクミストが撹拌されるのを最小限に抑えることができ、インクミストによってインクジェット記録装置内に汚れが付着するのを防止できる。
【００１６】
請求項３に記載の発明は、前記シャッターは、空気圧で揺動して吸気口を遮蔽、開放する遮蔽板で構成されたことを特徴としている。
【００１７】
請求項３に記載の発明によれば、空気圧で揺動する遮蔽板によって、吸気口の開口部が遮断、開放されるようになっている。このため、遮蔽板は簡単な構造で済み、且つ、遮蔽板の開閉を行うための大掛かりな装置や電力を必要としない。これにより、インクジェット記録装置が大型にならずに済み、消費電力の節減、部品点数が増えないことからコストダウンに繋がる。
【００１８】
請求項４に記載の発明は、前記排気口と前記走査空間の連通部には、前記排気口へ開放し走査空間側には開放しない弁機構が配置されたことを特徴としている。
【００１９】
請求項４に記載の発明によれば、排気口と記録ヘッドの走査領域の間に弁機構を配置することで、記録ヘッドの一方の移動によって排気口へ向かったインクミストを含んだ空気が、記録ヘッドが他方に向かって移動したときに、走査領域へ逆流することを防止する。
【００２０】
これにより、排気口から排気しきれなかったインクミストを含んだ空気によって、インクジェット記録装置の内部が汚染されるのを軽減することができる。
【００２１】
請求項５に記載の発明は、走査方向から見たときの前記記録ヘッドと前記閉塞部材の最大離間距離が、前記排気口の最小幅よりも小さいことを特徴としている。
【００２２】
請求項５に記載の発明によれば、記録ヘッドを走査方向から見たときの記録ヘッドと閉塞部材の最大離間距離を、排気口の最小幅よりも小さくすることで、記録ヘッドの移動で記録ヘッドの走査方向下流側の空気が引っ張られて、走査方向に向かう空気流を発生させることができる。これにより、インクミストが撹拌されることがなくなり、インクミストによるインクジェット記録装置内の汚れを減らすことができる。
【００２３】
請求項６に記載の発明は、走査方向から見たときの前記記録ヘッドと前記閉塞部材の空間面積が、前記排気口の面積よりも小さいことを特徴としている。
【００２４】
請求項６に記載の発明によれば、記録ヘッドを走査方向から見たときの記録ヘッドと閉塞部材の空間の面積を、排気口の面積よりも小さくすることで、記録ヘッドの移動で記録ヘッドの走査方向下流側の空気が引っ張られて、走査方向に向かう空気流を発生させることができる。これにより、インクミストが撹拌されることがなくなり、インクミストによるインクジェット記録装置内の汚れを減らすことができる。
【００２５】
請求項７に記載の発明は、記録媒体の搬送方向と直交する方向へ走査する記録ヘッドのノズルからインク液滴を吐出して記録媒体に画像を記録するインクジェット記録装置において、前記記録ヘッドが走査する略閉塞した走査空間を構成する閉塞部材と、前記閉塞部材の走査方向の両端に形成された吸排気口と、前記吸排気口に所定間隔で配置されたフィルターと、前記記録ヘッドの位置を検出する検出手段と、前記吸排気口に設けられ、前記検出手段からの信号によって、前記フィルターと前記フィルターとで形成された隙間を開閉するシャッターと、を備えたことを特徴としている。
【００２６】
請求項７に記載の発明によれば、検知手段によって記録ヘッドの位置を検知し、検知手段からの信号によって吸排気口のシャッターが、例えば、上下又は左右にスライドしてフィルターとフィルターの間に設けられた隙間を開閉する。このような構成において、記録ヘッドが走査すると、検出手段からヘッドの位置信号に基づき、反走査側の吸排気口のシャッターがフィルターとフィルターの間に設けられた隙間を開放するようにスライドし、走査側の吸排気口のシャッターはフィルターとフィルターの間に設けられた隙間を閉じるようにスライドする。これにより、インクジェット記録装置内には、フィルターとフィルターの間に設けられた隙間から外部の空気が吸引され、記録ヘッドの走査方向に向かって気流が発生して、インクミストを含んだ空気は、フィルターを通してインクジェット記録装置の外へ排出される。
【００２７】
このように、吸排気口にシャッターを設け、記録ヘッドの位置に応じてシャッターをスライドさせてフィルターとフィルターの隙間を交互の開閉させる構成によって、走査空間に空気流を発生させることができるので、吸気口と排気口とをそれぞれ設ける構成に比べて、装置の小型化が計れる。
【発明の効果】
【００２８】
本発明は上記構成としたので、ファンなどの強制的排気手段を用いず、小スペース及び低コストで効果的にインクミストを回収することができる。
【発明を実施するための最良の形態】
【００２９】
本発明の第１の実施形態に係るインクジェット記録装置について説明する。
【００３０】
図１には、本発明の第１の実施形態に係るインクジェット記録装置としてのインクジェットプリンタ１０が示されている。
【００３１】
インクジェットプリンタ１０には、キャリッジ１４が設けられており、キャリッジ１４には、インク液滴を吐出するノズルを有するインクジェット記録ヘッド１２が搭載されている。
【００３２】
このキャリッジ１４は、シャフト１６が挿通されており、主走査方向（矢印Ａで表す）の両端側に配設された主走査機構（図示省略）によって、主走査方向に往復移動可能となっている。
【００３３】
また、このインクジェットプリンタ１０には、画像印刷前の記録用紙２０を束にして入れておく給紙トレイ２２が設けられており、その給紙トレイ２２の上方には、インクジェット記録ヘッド１２により画像が印刷された記録用紙２０が排出される排紙トレイ２４が設けられている。そして、給紙トレイ２２から１枚ずつ給紙された記録用紙２０を所定のピッチで副走査方向（搬送方向と直交する方向、矢印Ｂで表す）へ搬送する搬送ローラー１５及び排出ローラー１７からなる副走査機構１８が設けられている。
【００３４】
インクジェットプリンタ１０は筐体２６を備えており、この筐体２６でインクジェット記録ヘッド１２を搭載したキャリッジ１４が覆われている。キャリッジ１４（インクジェット記録ヘッド１２）は、筐体２６で覆われた空間（走査領域）を、矢印Ａの方向に走査する。
【００３５】
筐体２６のインクジェット記録ヘッド１２の走査方向の両側の側壁２６Ａには、略矩形状の吸気口２８が開口されている。この吸気口２８から、走査領域へ筐体２６の外部の空気を、吸気できるようになっている。
【００３６】
図２に示すように、吸気口２８の開口縁部には、支持孔３０が形成されており、シャッターとしての遮蔽板３２の支持部材３４が軸支可能となっている。遮蔽板３２は、長手方向の長さが、吸気口２８の長手方向の長さとほぼ等しい寸法とされた薄板状で構成されており、遮蔽板３２の長手方向の両端部に設けられた円筒状の支持部材３４が、吸気口２８の支持孔３０に軸支されて、遮蔽板３２は支持部材３４を軸として回動する構成となっている。
【００３７】
このようにして、吸気口２８には上下方向に３枚の遮蔽板３２が設けられている。それぞれの遮蔽板３２の支持部材３４が、吸気口２８の端部に形成された支持孔３０に軸支され、支持部材３４を軸として回動する。
【００３８】
ここで、図３に示すように、１枚目の遮蔽板３２の下辺部は、２枚目の遮蔽板３２の上辺部に重なるようにして設けられており、同様にして２枚目の遮蔽板３２の下辺部が３枚目の遮蔽板３２の上辺部に重なるようにして設けられている。３枚目の遮蔽板３２の下辺部は、吸気口２８の開口縁部の下辺に重なるようにして設けられている。このような構成により、３枚の遮蔽板３２は、それぞれ支持部材３４を軸として、筐体２６の外側への回動が阻止され、筐体２６の内側へ回動可能となっている。
【００３９】
なお、本実施形態では、遮蔽板３２の枚数を３枚としたが、遮蔽板３２の枚数は特に限定されておらず、４枚以上、あるいは２枚でもよく、１枚のシャッターを用いて、筐体２６の外側への回動を阻止し、筐体２６の内側へ回動可能となる構成としてもよい。
【００４０】
また、遮蔽板３２を上下方向に複数枚取り付ける構成としたが、左右方向に複数枚取り付ける構成としてもよく、筐体２６の内側へ回動することで吸気口２８を開放し、筐体２６の外側へ回動しようとして吸気口２８を閉鎖する構成であれば、特に上記構成に限られない。
【００４１】
筐体２６の走査方向の両側の底部２６Ｂには、排気口３６が開口されており、この排気口３６には、不織布のフィルター３８が取り付けられている。これにより、排気口３６から排気される空気は、フィルター３８を通過するので、空気中に含まれているインクミストや埃、塵などが、このフィルター３８によって除去される。
【００４２】
なお、本実施形態では、排気口３６にフィルター３８を取り付ける構成としたが、必ずしも、排気口３６にフィルター３８を取り付ける必要はない。しかし、フィルター３８を取り付けることで、排気口３６から排気される空気中に含まれるインクミスト、埃、塵等を除去することができるので、排気された空気によって、インクジェットプリンタ１０の外部が汚染されることを防止することができる。
【００４３】
また、本実施形態では、フィルター３８として不織布を用いたが、フィルターに用いられる材質は特に限定されない。例えば、臭気を取る作用のある活性炭入りのフィルターを用いてもよく、この場合、排気された空気の脱臭ができる。さらに、フィルター３８は、筐体２６から脱着可能な構成にしておくことで、定期的に交換することができ、インクミストを除去する効果が一層高まる。
【００４４】
排気口３６に向かう通路と走査領域の間には、走査領域側から可撓性の薄板４０が片持状に通路に向かって張り出している。この薄板４０は、インクジェット記録ヘッド１２の走査によって押圧された空気によって排気口３６側へたわむようになっており、走査領域の空気が薄板４０を通過して排気口３６からインクジェットプリンタ１０の外へ排気される。一方、この薄板４０は、図６に示すように、排気口３６に向かう通路と走査領域の境界に設けられたアーム３９によって、走査領域側にたわもうとするのを阻止されており、インクジェット記録ヘッド１２の走査によって負圧となるときには、走査領域と排気口３６に向かう通路とを遮断する。これにより、インクジェット記録ヘッド１２の走査によって押し出された空気が、インクジェット記録ヘッド１２が走査方向を転換したとき、排気口３６から排気されずに排気口３６に通じる通路に残留している空気が走査領域に逆流して、インクミストを撹拌してしまうことを防止できる。
【００４５】
なお、本実施形態では、通路を遮断する方法として可撓性の薄板４０を用いたが、ばね等の伸縮できる部材で薄板をアームと連結して、通路を遮断及び開放する構成とすることもできる。また、本実施形態では、薄板４０を一枚使用する構成となっているが、この薄板は複数枚配置しても良い。
【００４６】
次に、筐体２６とインクジェット記録ヘッド１２が搭載されたキャリッジ１４との空間の大きさの関係について説明する。
【００４７】
図４に示すように、インクジェットプリンタ１０（図１参照）をインクジェット記録ヘッド１２の走査方向から見たときに、筐体２６とキャリッジ１４（インクジェット記録ヘッド１２）の最大離間距離Ｍが、排気口３６の最小幅Ｌよりも小さくなるように、筐体２６の大きさが設定されている。もし、インクジェット記録ヘッド１２と筐体２６との間の空間が広すぎると、インクジェット記録ヘッド１２の走査によってインクジェット記録ヘッド１２の走査方向に気流を発生させることが難しくなり、走査領域を漂うインクミストが撹拌されてしまって、インクジェットプリンタ１０内部を汚染してしまう。そこで、上記のように、筐体２６とインクジェット記録ヘッド１２で形成される空間の大きさを考慮することで、インクジェット記録ヘッド１２の走査によって、走査領域にはインクジェット記録ヘッド１２の移動方向後方には負圧を、移動方向前方には空気を押し出す押圧力を発生させることができる。
【００４８】
なお、本実施形態では、筐体２６とインクジェット記録ヘッド１２で形成される空間の大きさの定義を、筐体２６とインクジェット記録ヘッド１２の最大離間距離Ｍが排気口３６の最小幅Ｌよりも小さくすることとしたが、筐体２６とインクジェット記録ヘッド１２の空間面積（一点鎖線でハッチングした部分）を、排気口３６の面積よりも小さくしても、同様の効果が得られる。
【００４９】
ここで、インクジェット記録ヘッド１２の走査によって、走査領域に発生する空気流について説明する。
【００５０】
図５（Ａ）に示すように、インクジェット記録ヘッド１２が矢印Ｃ方向に走査すると、インクジェット記録ヘッド１２の走査方向の後方の走査領域の空気は、インクジェット記録ヘッド１２の走査によって引っ張られて負圧となり、反走査側の吸気口２８Ａの遮蔽板３２Ａが支持部材３４（図２参照）を軸として、筐体２６の内側へ回動する。そして、遮蔽板３２Ａの間から筐体２６の外の空気が、走査領域に吸気される。
【００５１】
このとき、インクジェット記録ヘッド１２の走査方向側の走査領域の空気は、インクジェット記録ヘッド１２の移動によって、走査側の吸気口２８Ｂに向かって押し出される。そして、走査側の遮蔽板３２Ｂは、押し出された空気に押圧されることで、筐体２６の外側に向かって回動しようとして、吸気口２８Ｂは閉鎖された状態となる。そこで、インクジェット記録ヘッド１２の走査方向側の走査領域の空気は、排気口３６Ｂへ向かって、フィルター３８Ｂを介してインクジェットプリンタ１０の外部へ排気される。
【００５２】
これにより、インクを吐出した際に発生して走査領域を漂っているインクミストは、インクジェット記録ヘッド１２の移動によって排気口３６Ｂへ押し出されて、インクジェットプリンタ１０の外部へ排気される。このとき、インクミストは排気口３６Ｂに設けられてたフィルター３８Ｂを通過してフィルター３８Ｂによって吸収されるので、インクジェットプリンタ１０の外部へ排気された空気中には、ほとんどインクミストが含まれていない。従って、インクジェットプリンタ１０の外壁や周辺機器がインクミストで汚染されることがない。
【００５３】
また、インクジェット記録ヘッド１２が移動する際に、インクジェット記録ヘッド１２の走査方向の後方の空気が吸気口２８から吸引されることで、走査領域にインクジェット記録ヘッド１２の走査方向と同じ方向の気流を発生させるので、走査領域を漂うインクミストが撹拌されることがなくなり、インクミストによってインクジェットプリンタ１０内が汚れることを防ぐことができる。
【００５４】
また、図５（Ｂ）に示すように、インクジェット記録ヘッド１２が矢印Ｃ方向と反対方向の矢印Ｄ方向に走査すると、インクジェット記録ヘッド１２の走査方向の後方の走査領域の空気が引っ張られて、反走査側の吸気口２８Ｂの遮蔽板３２Ｂが筐体２６の内側へ回動して、吸気口２８Ｂが開放される。このとき、走査側の吸気口２８Ａの遮蔽板３２Ａは、インクジェット記録ヘッド１２によって押し出された空気に押圧されて、吸気口２８Ａは閉鎖される。
【００５５】
このように、インクジェット記録ヘッド１２が往復走査することで、図５（Ａ）の状態と図５（Ｂ）の状態を交互に繰り返して、効率良く走査領域を漂うインクミストをフィルター３８で回収して、走査領域から除去することができる。
【００５６】
そして、インクジェット記録ヘッド１２の移動によって発生する空気流を利用してインクミストを走査領域から排除する構成としたことで、インクミストを回収するために、ファンなどの電力を必要とする装置を走査領域に取り付ける必要がない。これにより、消費電力の軽減に繋がり、ファンなどを取り付けることによって発生するスペースの確保の必要がないので、インクジェットプリンタ１０が大型にならずに済む。従って、インクジェットプリンタ１０の軽量化が計れ、また、ファンなどの装置を取り付ける場合と比較して、部品増加によるコストアップの問題がなく、ファンを駆動させる際に発生するノイズ増大の心配もないので、インクジェットプリンタ１０を駆動させる際に発生するノイズの軽減に繋がる。
【００５７】
さらに、吸気口２８から走査空間に外部の空気を吸気すると同時に、走査空間の空気を排出口３６から排気することで、インクジェット記録装置１０の内部の熱を排気することができる。
【００５８】
次に、本発明の第２の実施形態に係るインクジェット記録装置について説明する。なお、第１の実施形態と同様の部分についての説明は割愛する。
【００５９】
図７に示すように、筐体２６に形成された吸排気口５０には、上下方向に所定の間隔で３枚のフィルター５２が取り付けられている。すなわち、フィルター５２とフィルター５２の間には開口部５４が形成され、フィルター５２と開口部５４が交互に配置された状態になっている。
【００６０】
また、吸排気口５０には、シャッター５６が取り付けられている。シャッター５６は、上下にスライドする構成となっており、上にスライドするとフィルター５２に重なり、下にスライドすると開口部５４を閉じるようになっている。
【００６１】
ここで、シャッター５６を上下にスライドさせる構成について説明する。
【００６２】
図８に示すように、筐体２６の内側の吸排気口５０近傍には、図示しないガイド溝にガイドされ、上下方向へ移動可能な略Ｌ字状の連結部材５８が配設されている。連結部材５８の下辺部５８Ａには偏心カム６０が配設されている。偏心カム６０は略楕円形状とされ、略中心部に軸部６２が形成されている。軸部６２にはカム軸６４が固定されており、左右の偏心カム６０が一体に回転する。カム軸６４は、図示しないギア機構により駆動モータ６６から駆動力が伝達される。駆動モータ６６によってカム軸６４が矢印Ｊ１又は矢印Ｊ２方向に回転すると、偏心カム６０が回動し、連結部材５８を上下方向に往復動させるようになっている。この連結部材５８に、３枚のシャッター５６が所定の間隔で取り付けられており、連結部材５８が上下方向に往復動することで、シャッター５６も上下方向に往復動するようになっている。
【００６３】
図１に示すように、インクジェットプリンタ１０内には、キャリッジ１４の走査方向に沿ってリニアエンコーダ２１が設置されている。このリニアエンコーダ２１によって、キャリッジ１４の走査方向の移動量が検出される。リニアエンコーダ２１としては、光学式のものや磁気式のものを用いることができる。例えば、光学式の場合、リニアエンコーダ２１を構成するスケール２３に多数のスリット（図示省略）が主走査方向に設けられており、光学式の読み取りセンサー（図示省略）によって、キャリッジ１４の位置が検出される。
【００６４】
図９（Ａ）に示すように、インクジェット記録ヘッド１２が矢印Ｃ方向に走査すると、読み取りセンサーからの信号を受けて、反走査側の駆動モータ６６（図８参照）が回転して偏心カム６０が回動し、連結部材５８を上に移動させる。これにより、シャッター５６Ａがフィルター５２Ａに重なり、開口部５４Ａが開放される。一方、走査側のモータ６６が回転すると、走査側の連結部材５８は下方向に移動して、シャッター５６Ｂが開口部５４Ｂを閉じてフィルター５２Ｂを開放する。インクジェット記録ヘッド１２の走査方向の後方の走査領域には、反走査側の開口部５４Ａから空気が吸気され、走査側のフィルター５２Ｂを通して排気される。
【００６５】
また、図９（Ｂ）に示すように、インクジェット記録ヘッド１２が反対方向に走査すると、読み取りセンサーからの信号によって反走査側の駆動モータ６６が回転して、偏心カム６０が回動し、反走査側の連結部材５８を上に移動させ、走査側の駆動モータ６６が回転して走査側の連結部材５８を下に移動させる。これにより、インクジェット記録ヘッド１２の走査方向の後方の走査領域には、反走査側の開口部５４Ｂから空気が吸気され、走査側のフィルター５２Ａを通して排気される。
【００６６】
これにより、走査領域のインクミストを含んだ空気は、フィルター５２Ａによってインクミストが取り除かれてインクジェットプリンタ１０の外側へ排気されるので、走査領域内からはインクミストが除去される。また、フィルター５２Ａから排気される際にフィルター５２Ａによってインクミストが吸収されるので、インクジェットプリンタ１０の外部へ排気された空気中には、ほとんどインクミストが含まれておらず、インクジェットプリンタ１０の外壁や周辺機器がインクミストで汚染されることがない。
【００６７】
インクジェット記録ヘッド１２が往復走査することで、図９（Ａ）の状態と図９（Ｂ）の状態を交互に繰り返して、効率良く走査領域を漂うインクミストをフィルター５２で回収して、走査領域から除去することができる。
【００６８】
このように、吸排気口５０にフィルター５２と開口部５４を設けることで、シャッター５６をスライドさせるだけで開口部５４及びフィルター５２を交互に開閉させることができるので、吸気口とは別の場所に排気口を設ける構成に比べて、スペースを多く必要としないので、インクジェットプリンタ１０の小型化が計れる。
【００６９】
なお、本実施形態では、シャッター５６を上下させる機構として偏心カムを用いて説明したが、モータの回転をベルトまたはギアを介して必要距離だけシャッターをスライドさせる構成としてもよく、シャッター５６を上下させる構成は上記構成に限られない。
【００７０】
また、本実施形態においては、インクジェット方式のインクジェットプリンタについて説明したが、インクジェット方式においてはサーマルインクジェット方式、ピエゾ式インクジェット、連続流型インクジェット、静電吸引型インクジェット等、方式に限定されない。
【００７１】
さらに、使用するインクも水性インク、油性インク、常温で固形のいわゆるソリッドインク、溶剤インク等いずれも適用可能である。インク中の色材も顔料・染料を問わない。
【００７２】
また、インクジェット記録ヘッド１２は１個のタイプのものでも複数個が用いられるタイプのものでも、同様に適用することができる。
【００７３】
さらに、キャリッジ１４が往復印字するタイプのものに限らず、一方の方向しか印字を行わないタイプの記録装置の場合にも本装置を用いることができる。
【図面の簡単な説明】
【００７４】
【図１】本発明の第１の実施形態に係るインクジェット記録装置を示す斜視図である。
【図２】本発明の第１の実施形態に係るインクジェット記録装置を示す部分斜視図である。
【図３】本発明の第１の実施形態に係るインクジェット記録装置を示す部分側面図である。
【図４】本発明の第１の実施形態に係るインクジェット記録装置の模式図であり、（Ａ）は走査方向から見た図であり、（Ｂ）は底面から見た排気口を表す図である。
【図５】本発明の第１の実施形態に係るインクジェット記録装置の走査状態を示す図である。
【図６】本発明の第１の実施形態に係るインクジェット記録装置の弁機構を示す部分斜視図である。
【図７】本発明の第２の実施形態に係るインクジェット記録装置の部分斜視図である。
【図８】本発明の第２の実施形態に係るインクジェット記録装置のシャッターの開閉機構を表す図である。
【図９】本発明の第２の実施形態に係るインクジェット記録装置の走査状態を示す図である。
【符号の説明】
【００７５】
１０  インクジェットプリンタ（インクジェット記録装置）
１２  インクジェット記録ヘッド（記録ヘッド）
２０  記録用紙（記録媒体）
２６  筐体（閉塞部材）
２８  吸気口
３２  遮蔽板（シャッター）
３６  排気口
３８  フィルター
４０  弁機構
５０  吸排気口
５２  フィルター
５４  開口部（吸気口）
５６  シャッター
【図１】
2005145021.tif 000003
【図２】
2005145021.tif 000004
【図３】
2005145021.tif 000005
【図４】
2005145021.tif 000006
【図５】
2005145021.tif 000007
【図６】
2005145021.tif 000008
【図７】
2005145021.tif 000009
【図８】
2005145021.tif 000010
【図９】
2005145021.tif 000011